(57)【要約】【課題】コイルの厚みを変更することなく、偏向ヨークネック側の磁力線の形を変更でき、試作・調整が容易な偏向ヨークを提供することを目的とする。【解決手段】水平偏向コイルの金型は下型８の底面部に斜面部２０を有し、上型７の下部１０にも斜面部を設けることで水平偏向コイル１のネック側ベンド部９を管軸と９０°の角度から傾けてＣＲＴの電子銃側へ傾いた形状としている。上側コイルの磁力線は水平成分と垂直成分に分解され、下側コイルの磁力線は水平成分と垂直成分に分解される。上側コイルの磁力線の水平成分と下側コイルの磁力線の水平成分は相殺されるが、上側コイルの磁力線の垂直成分と下側コイルの磁力線の垂直成分は同じ向きであるため相殺されず、垂直成分は電子ビームの偏向に寄与し、青色ビームにかかる力と赤色ビームにかかる力を強める。【選択図】  図１
2004265820.tif 000002
【特許請求の範囲】
【請求項１】
一対の水平偏向コイルと一対の垂直偏向コイルを有する偏向ヨークであって、水平偏向コイルの電子銃側後端の折り返し部を管軸方向と９０°の角度からＣＲＴ電子銃方向へ傾けたことを特徴とする偏向ヨーク。
【請求項２】
一対の水平偏向コイルと一対の垂直偏向コイルを有する偏向ヨークであって、水平偏向コイルの電子銃側後端の折り返し部のコイルの合わせ面側の約半分を管軸方向と９０°の角度からＣＲＴ電子銃方向へ傾けたことを特徴とする偏向ヨーク。
【請求項３】
一対の水平偏向コイルと一対の垂直偏向コイルを有する偏向ヨークであって、水平偏向コイルの電子銃側後端の折り返し部を形成する２面の内、一方を管軸方向と９０°の角度からＣＲＴ電子銃方向へ傾けたことを特徴とする偏向ヨーク。
【請求項４】
一対の水平偏向コイルと一対の垂直偏向コイルを有する偏向ヨークであって、水平偏向コイルの電子銃側後端の折り返し部を管軸方向と９０°の角度からＣＲＴ管面方向へ傾けたことを特徴とする偏向ヨーク。
【発明の詳細な説明】
【０００１】
【発明の属する技術分野】
本発明はカラーテレビジョン受像機、コンピュータディスプレイモニタ及びブラウン管三管式投射型受像機、プロジェクター映写機などに用いる偏向ヨークに関するものである。
【０００２】
【従来の技術】
偏向ヨークは陰極線管の電子銃から射出される電子ビームを偏向させ、画面を表示させるものであり、一対の水平偏向コイルと一対の垂直偏向コイルを有している。
【０００３】
以下従来の偏向ヨークについて説明する。図１４は従来の水平偏向コイルと垂直偏向コイルの位置関係を表す図、図１５は従来の水平偏向コイル、垂直偏向コイルとフェライトコアの位置関係を表す図、図１６は従来の偏向ヨークの断面図、図１７は従来の水平偏向コイルの製造方法を表す図、図１８は従来の水平偏向コイルの製造方法を表す図、図１９は従来の水平偏向磁界の動作を表す図、図２０は従来のミスコンバーゼンスの画面図、図２１は従来の水平偏向コイルのネック部の斜視図、図２２は従来の水平偏向コイルの作る磁力線を表す図、図２３は従来の水平偏向コイルの作る磁力線を表す図である。
【０００４】
図１４に示すように一対の水平偏向コイル１と一対の垂直偏向コイル２は図中Ｙ軸、Ｘ軸で示す直交軸上で組み合わされるように配置されており、ブラウン管軸（図中のＺ軸）方向の位置関係は図１５示すように、水平偏向コイル１の両端にあるコイルの折り返し部（以下ベンド部と呼ぶ）の内側に垂直偏向コイル２が配置されている。図１５の３はフェライトコアを示しており、フェライトコアは垂直偏向コイル２の両端のベンド部の内側に配置されている。
【０００５】
図１５中のＡ−Ａ断面を図１６に示す。図１６の５はブラウン管のガラス管であり、６は水平偏向コイル１と垂直偏向コイル２を電気的に絶縁する枠を示している。
【０００６】
従来の水平偏向コイルの製造方法を図１７、図１８に示す。図１７に示すように、コイルを成形するため上型７と下型８を組み合わせこの２つの金型の間の隙間に銅線を巻き付けてコイルを作るが、コイルの電子銃側後端の折り返し部は図１８の９に示すように下型８の底面と、上型７の下部１０の間で成形され管軸と９０°の角度に折り返した形状となる（例えば、特許文献１参照。）。
【０００７】
【特許文献１】
特開平１０−３１２７５９号公報
【０００８】
【発明が解決しようとする課題】
上記従来の偏向ヨークでは水平偏向コイルは図１９の１１に示す水平偏向磁界を発生し、この磁界によって、青色電子ビーム１２、緑色電子ビーム１３、赤色電子ビーム１４を偏向させる。図１９中の１５は青色電子ビームにかかる力、１６は緑色電子ビームにかかる力、１７は赤色電子ビームにかかる力を表している。青色電子ビームにかかる力１５と赤色電子ビームにかかる力１７は同一の大きさとなるが、緑色電子ビームにかかる力１６は他の２つの電子ビームにかかる力とは大きさが異なる。
【０００９】
このため図２０に示すようにＣＲＴ管面上での電子ビームの作る輝線が一致せず緑色電子ビームの作る輝線１８が青色ビーム、赤色ビームの作る輝線１９より外側にずれるような色ずれ（ミスコンバージェンス）が生じることがあり、このようなミスコンバーゼンスを改善するにはコイルの厚みを変更し、磁力線の形を変える必要があった。
【００１０】
コイルの厚みを変更するには図１７および図１８に示す上型７、下型８のカーブを変更する必要があり、試作・調整に時間と費用がかかっていた。
【００１１】
そこで本発明は、コイルの厚みを変更することなく、偏向ヨークネック側の磁力線の形を変更でき、試作・調整が容易な偏向ヨークを提供することを目的とする。
【００１２】
【課題を解決するための手段】
本発明の偏向ヨークは、一対の水平偏向コイルと一対の垂直偏向コイルを有する偏向ヨークであって、水平偏向コイルの電子銃側後端の折り返し部を管軸方向と９０°の角度からＣＲＴ電子銃方向へ傾けた形状とした。
【００１３】
本発明は上記構成によって、コイルの厚みを変更することなく、偏向ヨークネック側の磁力線の形を変更でき、試作・調整が容易な偏向ヨークを提供できる。
【００１４】
【発明の実施の形態】
（実施の形態１）
図１は本発明の実施の形態１における水平偏向コイルの製造方法を表す図、図２は本発明の実施の形態１における水平偏向コイルの側面図、図３は本発明の実施の形態１における水平偏向コイルのネック部の斜視図、図４は本発明の実施の形態１における水平偏向コイルの作る磁力線を表す図、図５は本発明の実施の形態１における水平偏向コイルの作る磁力線を表す図、図６は本発明の実施の形態１における水平偏向コイルの作る磁力線を表す図、図７は本発明の実施の形態１における水平偏向コイルの作る磁力線の動作を表す図、図８は本発明の実施の形態１におけるミスコンバーゼンスの画面図である。
【００１５】
図１に示すように、水平偏向コイルを作る金型は下型８の底面部に斜面部２０を有し、上型７の下部１０にも斜面部を設けることで水平偏向コイル１のネック側ベンド部９を管軸と９０°の角度から傾けた形状にしている。このようにして成形されたコイルは図２に示すように、ネック側ベンド部９がＣＲＴの電子銃側へ傾いた形状となっている。
【００１６】
図２１、図２２、図２３は従来の水平偏向コイルのベンド部から生じる磁力線の状態を示している。従来のネック側ベンド部は図２１に示すような形状をしており、図２２に実線の矢印でしめす偏向電流２１が流れることで磁力線２２が生じる。磁力線２２はベンド部９の周りを巻くように生じるが、図２３に示すように上下一対のコイルの合わせ目付近の磁力線は反対向きであるため相殺してしまい、電子ビームの偏向には寄与しない。
【００１７】
図３、図４、図５、図６は本発明の水平偏向コイルネック側ベンド部の作る磁力線を示している。水平偏向コイルは図３の９に示すように、傾いたベンド部を有し、図４の実線の矢印２１で表す偏向電流が流れた場合に、磁力線２２が生じる。図５に示すように上下一対のコイルの作る磁力線２２は角度をもっており、図６に示すように上側コイルの磁力線２２−１は水平成分２２−１ａと垂直成分２２−１ｂに分解され、下側コイルの磁力線２２−２は水平成分２２−２ａと垂直成分２２−２ｂに分解される。水平成分２２−１ａと２２−２ａは相殺されるが、垂直成分２２−１ｂと２２−２ｂは同じ向きであるため相殺されない。この磁力線の垂直成分は図７の２３に示すように電子ビームの偏向に寄与し、青色ビーム１２にかかる力１５と赤色ビーム１４にかかる力１７を強めることになる。このようにして青色ビームと赤色ビームの偏向を強めたことで、図２０に示したミスコンバーゼンスは図８のように改善される。以上、実施の形態１は請求項１の発明に係るものである。
【００１８】
（実施の形態２）
図９は本発明の実施の形態２における水平偏向コイルの側面図であって、請求項２の発明に係るものである。実施の形態１の偏向ヨークにおいてネック側ベンド部に傾きをつけることで従来の偏向ヨークでは相殺されていたベンド部の磁力線を、相殺されず偏向に寄与するようにしたが、この効果は上下一対のコイルの合わせ目付近を傾けることで得られるので、ベンド部全体を傾けなくても同様の効果を得ることができる。図９に示すように水平コイル１のネック側ベンド部９の約半分を傾けることで同様の効果を得ることが出来る。
【００１９】
（実施の形態３）
図１０は本発明の実施の形態３における水平偏向コイルの側面図、図１１は本発明の実施の形態３における水平偏向コイルの側面図であって、請求項３の発明に係るものである。実施の形態１の偏向ヨークでは水平偏向コイル１を形成する金型の上型７と下型８の両方に斜面部を設けることで傾いたベンド部を形成したが、下型８だけに斜面部を設けることで図１０に示す水平偏向コイルを作ることが出来る。この場合ネック側ベンド部９の電子銃方向の面２４は管軸と９０°になっているが、反対の面２５は傾きを持っている。この場合にも請求項１のコイルと同様に相殺されないベンド部の磁力線が発生し、図２０に示したミスコンバーゼンスを改善できる。また、図１１に示すように斜面部２５は平面でなく、階段状につくっても同様の効果を得ることができる。
【００２０】
（実施の形態４）
図１２は本発明の実施の形態４における水平偏向コイルの側面図、図１３は本発明の実施の形態４における水平偏向コイルの側面図であって、請求項４の発明に係るものである。実施の形態１の偏向ヨークでは図２０に示すように緑色電子ビームの輝線１８が青色、赤色ビームの輝線１９より外側にある場合のミスコンバーゼンスについて記したが、逆に緑色電子ビームの輝線１８が青色、赤色ビームの輝線１９より内側にあるミスコンバーゼンスに対しては、図１２、図１３に示すようにネック側ベンド部９をＣＲＴ管面方向へ傾けた水平偏向コイルによって改善することができる。
【００２１】
【発明の効果】
以上のよう本発明によれば、コイル本体の厚みを変化させなくてもネック部付近の磁力線を変化させることができ、設計・試作・調整が容易な偏向ヨークを実現できる。
【図面の簡単な説明】
【図１】本発明の実施の形態１における水平偏向コイルの製造方法を表す図
【図２】本発明の実施の形態１における水平偏向コイルの側面図
【図３】本発明の実施の形態１における水平偏向コイルのネック部の斜視図
【図４】本発明の実施の形態１における水平偏向コイルの作る磁力線を表す図
【図５】本発明の実施の形態１における水平偏向コイルの作る磁力線を表す図
【図６】本発明の実施の形態１における水平偏向コイルの作る磁力線を表す図
【図７】本発明の実施の形態１における水平偏向コイルの作る磁力線の動作を表す図
【図８】本発明の実施の形態１におけるミスコンバーゼンスの画面図
【図９】本発明の実施の形態２における水平偏向コイルの側面図
【図１０】本発明の実施の形態３における水平偏向コイルの側面図
【図１１】本発明の実施の形態３における水平偏向コイルの側面図
【図１２】本発明の実施の形態４における水平偏向コイルの側面図
【図１３】本発明の実施の形態４における水平偏向コイルの側面図
【図１４】従来の水平偏向コイルと垂直偏向コイルの位置関係を表す図
【図１５】従来の水平偏向コイル、垂直偏向コイルとフェライトコアの位置関係を表す図
【図１６】従来の偏向ヨークの断面図
【図１７】従来の水平偏向コイルの製造方法を表す図
【図１８】従来の水平偏向コイルの製造方法を表す図
【図１９】従来の水平偏向磁界の動作を表す図
【図２０】従来のミスコンバーゼンスの画面図
【図２１】従来の水平偏向コイルのネック部の斜視図
【図２２】従来の水平偏向コイルの作る磁力線を表す図
【図２３】従来の水平偏向コイルの作る磁力線を表す図
【符号の説明】
１  水平偏向コイル
９  ネック側ベンド部
２０、２５  斜面部
【図１】
2004265820.tif 000003
【図２】
2004265820.tif 000004
【図３】
2004265820.tif 000005
【図４】
2004265820.tif 000006
【図５】
2004265820.tif 000007
【図６】
2004265820.tif 000008
【図７】
2004265820.tif 000009
【図８】
2004265820.tif 000010
【図９】
2004265820.tif 000011
【図１０】
2004265820.tif 000012
【図１１】
2004265820.tif 000013
【図１２】
2004265820.tif 000014
【図１３】
2004265820.tif 000015
【図１４】
2004265820.tif 000016
【図１５】
2004265820.tif 000017
【図１６】
2004265820.tif 000018
【図１７】
2004265820.tif 000019
【図１８】
2004265820.tif 000020
【図１９】
2004265820.tif 000021
【図２０】
2004265820.tif 000022
【図２１】
2004265820.tif 000023
【図２２】
2004265820.tif 000024
【図２３】
2004265820.tif 000025